(57)【要約】【課題】軒樋の突き合せ端部を一体に接続する軒樋内継手において、継手の剛性を高めて軒樋の変形を防止し、軒樋の形状にかかわりなく、軒樋内部に嵌め入れ易く且つ所定の接合位置に確実に定着できるように構成する。【解決手段】軒樋１の底面部１１、前面部１２及び後面部１３下半部の各部内面にそれぞれ接合する底面部４１、前面部４２及び後面部４３を有し、前後面部４２、４３間に把手部４４が横架されてなる下継手部材４と、軒樋１の後面部１３上半部に接合する上面部５１を有する上継手部材５とからなる軒樋内継手。【選択図】図１
2008231754.tif 000002
【特許請求の範囲】
【請求項１】
軒樋の突き合わせ端部内周面に嵌合する軒樋内継手において、
軒樋（１）の底面部（１１）、前面部（１２）及び後面部（１３）下半部の各部内面にそれぞれ接合する底面部（４１）、前面部（４２）及び後面部（４３）を有し、前後面部（４２、４３）間に把手部（４４）が横架されてなる下継手部材（４）と、
軒樋（１）の後面部（１３）上半部に接合する上面部（５１）を有する上継手部材（５）とからなることを特徴とする軒樋内継手。
【請求項２】
下継手部材（４）の前面部（４２）上端に軒樋（１）の前耳部（１２ａ）に係合する係合部（４２ａ）が設けられるとともに、上継手部材（５）の上面部（５１）上端に軒樋（１）の後耳部（１３ａ）に係合する係合部（５１ａ）と、上面部（５１）の下方に下継手部材（４）の把手部（４４）に嵌合する凹部（５４）とが設けられており、凹部（５４）を把手部（４４）に嵌合させて上継手部材（５）の上面部（５１）を軒樋（１）の後面部（１３）上半部に接合することを特徴とする請求項１に記載の軒樋内継手。
【請求項３】
凹部（５４）上方に摘み片（５５）が設けられてなることを特徴とする請求項２に記載の軒樋内継手。
【発明の詳細な説明】
【技術分野】
【０００１】
本発明は、軒樋の端部同士を接続するための軒樋内継手に関する。
【背景技術】
【０００２】
軒樋の端部同士を一体に接続する軒樋継手として、軒樋の両端部間を跨ぐようにして、外周面に外継手を嵌合させ、内周面には内継手を嵌め入れて、内外両継手で軒樋両端部の内外周面を挟み込み、接合面を接着一体化させて接続する構成のものが知られている（例えば特許文献１、２、３参照）。
また、開口部の幅が狭い軒樋の接続には、軒樋の内部に内継手を嵌め入れ難いことから、図６に示されるように、内継手１０１を、軒樋１００の底面部１００ａに接合する下継手部材１０１ａと軒樋１００の前面部１００ｂに接合する上継手部材１０１ｂとに分離した分割構造とし、軒樋１００、１００の端部間に外継手１０２を外嵌合させてから、両軒樋１００、１００の内部に下継手部材１０１ａと上継手部材１０１ｂを順次嵌め入れ、外継手１０２の内面に設けた係合部位１０２ａ、１０２ｂに両部材を係合して一体化するとともに両軒樋１００、１００との接合面を接着一体化させて、軒樋１００、１００を接続する構成のものが使用されている（例えば特許文献４参照）。
【０００３】
【特許文献１】実開平７−１９４４７号公報
【特許文献２】特開平１０−１４０７６１号公報
【特許文献３】特開２００２−６１３５２号公報
【特許文献４】特開２００２−１０６１２２号公報
【発明の開示】
【発明が解決しようとする課題】
【０００４】
軒樋継手を用いた軒樋の接続工事では、軒樋の両端部間を跨いで取り付ける内外両継手を軒樋の内外周面にぴったりと密着させた状態で接着一体化させるために、内外両継手の接着剤が塗られた接合面を、外継手は軒樋の外側から、内継手は軒樋開口部に手を差し入れて軒樋の内側から、それぞれ軒樋の表面に押し付ける作業が不可欠である。
この押し付け作業を行うためには、作業者が軒樋の上方に上半身を屈めることができる程度の高さで作業が行えるように足場を設ける必要があるが、足場の不安定な高所では接続作業に時間を要するだけでなく、軒樋と継手が位置ずれしたまま接着させてしまうことがあった。
【０００５】
また、従来の軒樋継手は突き合わせた軒樋の端部内外面を内継手と外継手で挟み込んで接合するだけであるため、曲げや捩れに対する強度（剛性）が弱く、強風を受けたときに軒樋が捩れて接合部で離脱したり、変形して軒樋吊り具から脱落する危険性があった。
【０００６】
本発明は従来技術の有するこのような問題点に鑑み、軒樋の突き合せ端部を一体に接続する軒樋内継手において、継手の剛性を高めて軒樋の捩れや変形を防止するとともに、軒樋の形状にかかわりなく、軒樋内部に嵌め入れ易く且つ所定の接合位置に確実に定着できるように構成し、軒樋接続作業の便宜に資することを課題とする。
【課題を解決するための手段】
【０００７】
前記課題を解決するため本発明の軒樋内継手は、軒樋の底面部、前面部及び後面部下半部の各部内面にそれぞれ接合する底面部、前面部及び後面部を有し、前後面部間に把手部が横架されてなる下継手部材と、軒樋の後面部上半部に接合する上面部を有する上継手部材とからなることを特徴とするものである。
【０００８】
これによれば、下継手部材の内側に把手部を設けてあるので、下継手部材を軒樋の端部間に取り付ける際に、把手部を持って下継手部材の後面部側を軒樋開口部から軒樋内部に押し入れ、前面部側を押し下げるように回転させるだけで嵌め入れることができ、また、把手部を持って下継手部材の接着剤が塗られた外周面を軒樋の内周面に押し付けることができる。
把手部は、下継手部材の前後面部間に架け渡してあるので、軒樋内部で把手部を下方へ押し込めば、下継手部材の底面部及び前後面部に下向きの力がかかり、これら各面部を接合する軒樋の内周面にぴったりと密着させて接合することができる。従来の如く、軒樋開口部から手を差し入れて内継手の底面部や後面部を押し付ける操作は不要であり、開口部が幅狭な形状の軒樋同士を接続するときや十分な高さの足場を確保できないときでも、把手部を持って押すという簡易な操作で、内継手を軒樋内周面に確実に接合させて固定することが可能である。
また、下継手部材の前面部と後面部の間に把手部が横架されているので、継手の剛性が格段に高まり、曲げや捩れ等に対する変形を防止できる。
【０００９】
前記構成の軒樋内継手において、下継手部材の前面部上端に軒樋の前耳部に係合する係合部が設けられるとともに、上継手部材の上面部上端に軒樋の後耳部に係合する係合部と、上面部の下方に下継手部材の把手部に嵌合する凹部とが設けられており、凹部を把手部に嵌合させて上継手部材の上面部を軒樋の後面部上半部に接合する構成とすることができる。凹部上方には摘み片が設けてあることが好ましい。
【００１０】
このような構成の内継手の取り付けは、予め上下両継手部材の外周面に接着剤を塗っておき、先ず、下継手部材を把手部を持って軒樋内部に押し入れ、外周面を軒樋の内周面に押し付けて接合するとともに、前面部上端の係合部を軒樋の前耳部に係合させて軒樋内部に固定し、次いで、上継手部材を摘んで軒樋内部に差し入れ、その上面部上端の係合部を軒樋の後耳部に係合させるとともに、凹部を把手部に嵌合させつつ後方にスライドさせ、上面部を軒樋の後面部上半部に、下面部を下継手部材の後面部内面にそれぞれ接合固定することにより行われる。
内継手を上継手部材と下継手部材の分割構造とすることで、開口部の幅が狭い軒樋にも簡易に取り付けることができ、また、軒樋の後面部側で上下両継手部材が嵌合一体化するようになっているので、作業者が軒先側の足場に立った状態で嵌合部位が手前側にある従来の分割構造のものよりも嵌合操作がし易く、不安定な高所での作業でも作業者が軒樋同士を簡単かつ確実に接続できることができる。
このとき、上継手部材に摘み片が設けられていると、より確実且つ簡易な操作で軒樋内部に取り付けることが可能である。
【発明を実施するための最良の形態】
【００１１】
本発明の好適な一実施形態を図面を参照して説明する。
図１は本発明の一実施形態の軒樋継手の構成部材とこれを用いて接続する軒樋の展開外観図、図２は内継手を構成する下継手部材の正面、側面及び背面を示した図、図３は内継手を構成する上継手部材の正面及び側面を示した図、図４は上下両継手部材を一体化した状態の内継手の外観図、図５は図１の軒樋継手を用いて軒樋を接続した状態の軒樋の断面図であり、図中、符号１は軒樋、２は軒樋継手、３は内継手、４は下継手部材、５は上継手部材、６外継手をそれぞれ示している。
【００１２】
先ず、本形態の軒樋継手２を用いて端部同士を接続する軒樋１は、図１に示されるように、例えば表面を塩化ビニル樹脂で覆うなどの耐蝕加工が施された、或いは耐蝕性を有する材質のものからなる長尺の鋼板を、板金加工により長手方向に沿って略Ｕ字断面形状に屈曲させてなり、底面部１１の両側に前面部１２と後面部１３を立ち上げるとともに前面部１２の上端に鋭角に内側へ折り返した前耳部１２ａ、後面部１３の上端には後方へ張り出してコ字状に屈曲した後耳部１３ａを設けて形成してある。
【００１３】
本形態における軒樋継手２は、軒樋１の内周面に嵌合する形状の内継手３と、外周面に嵌合する形状の外継手６からなり、端部同士を継ぎ合わせた軒樋１、１の両端部に跨って内外両継手３、６を取り付け、両軒樋１、１の端部を内外両継手３、６で挟んで接着一体化することにより、両軒樋１、１の端部同士を一体に接続するように構成してある。
【００１４】
内継手３は、軒樋１の底面部１１、前面部１２及び後面部１３の下半部の各部内面に接合する断面形状を有する下継手部材４と、軒樋１の後面部１３の上半部から下継手部材４の上半部に亘る内面に接合する断面形状を有する上継手部材５により構成してある。
【００１５】
より詳しくは、下継手部材４は、図２に示されるように、軒樋１の底面部１１の内面に接合する幅を有する底面部４１の両側に、前面部４２と後面部４３をそれぞれ軒樋１の前面部１２と後面部１３に接合するように立ち上げて形成してある。前面部４２は、軒樋１の前面部１２の内面に沿うように屈曲しており、その上端には軒樋１の前耳部１２ａに係合する内折れした係合部４２ａを設けてある。後面部４３は、底面部４１から直角に折れ曲がっていて軒樋１の後面部１３の下半部内面に接合する高さに設けてある。
また、下継手部材４の長手中央部内側には、底面部４１の上方で前面部４２と後面部４３の上部間に底面部４１と平行な架け渡された把手部４４を一体に架け渡して設けてある。
また、前面部４２から底面部４１、後面部４３に亘る外周面中央に凹部が設けてあり、この凹部にポリ塩化ビニルやウレタンを基材とする独立気泡構造の防水シート４５を装着してある。防水シート４５は軒樋１、１の突き合わせ端部間に内継手３を嵌め入れる際に位置合わせの目安となる中央位置を表示するとともに、接続後は軒樋１の端部内周面と密着して水密性を確保するものである。
防水シート４５の両側には前面部４２から底面部４１、後面部４３に亘る外周面に、余剰の接着剤を逃がすための凹溝４６が、所定間隔を開けて複数本設けてある。通常、凹溝４６の深さは０．３〜１．０ｍｍ、幅は０．５〜２ｍｍに設定することができ、接続操作の際に接着剤は凹溝４６の近傍位置に塗布され、軒樋１の端部内周面と接合したとき余剰の接着剤が凹溝４６に逃がされるように設けてある。
【００１６】
上継手部材５は、下継手部材４の長手寸法の１／２程度の長さの板状の部材であり、図３に示されるように、軒樋１の後面部１３の上半部に接合する上面部５１と下継手部材４の後面部４３の内面に接合する下面部５２とを段部５３を挟んで上下一体に連ね、前記上面部５１の上端に軒樋１の後耳部１３ａに内側下方から係合する係合部５１ａを設けるとともに前記下面部５２の長手中央下端に下継手部材４の把手部４４に上方から嵌合する凹部５４を形成し、この凹部５４の上方に、上下面部５１、５２と直交して突出した摘み片５５を一体に設けて形成してある。
前記凹部５４は、把手部４４の後面部４３側の根元部に設けた窪み４４ａに上方から嵌合し得るように形成されている。すなわち、図４及び図５に示されるように、上継手部材５の上面部上端の係合部５１ａを軒樋１の後耳部１３ａに係合させるとともに、凹部５４を把手部４４に嵌合させたまま後方にスライドさせると、把手部４４の根元部に設けた窪み４４ａに弾発的に嵌り込んで係止されるとともに、段部５３が下継手部材４の後面部４３の上端に当接して下面部５２が下継手部材４の後面部４３の内面に重なり、且つ上面部５１の外面（後面）と下継手部材４の後面部４３の外面とが上下に面一に連なるように設けてある。
【００１７】
また、外継手６は、図１に示されるように、軒樋１の外周面に沿って略Ｕ字状に屈曲した帯状の部材であり、その両端に形成された内折れした係合部６１、６２を軒樋１の前後耳部１２ａ、１３ａに外側から係合させて、軒樋１の外周面に一体に取り付けることができるように設けてある。
なお、この外継手６は施工環境や軒樋の形状などに応じて使用されるものであって、場合によっては省略することができる。
【００１８】
このように構成された本形態の軒樋継手２を用いて軒樋１、１同士を接続する工事は以下の作業手順で行うことができる。
先ず、軒先に取り付けられた樋吊り具で接続する軒樋１、１を軒先に沿って支持し、互いに端部同士が継ぎ合わさる状態にしておく。
次いで、両軒樋１、１の突き合せ端部内周面に内継手３を嵌め入れて接合する。
このとき、下継手部材４の底面部４１、前面部４２及び後面部４３の外面に設けられた凹溝４６の近傍位置に接着剤を塗布しておく。このように凹溝４６に沿って接着剤を塗布する場合には、全体に亘って均一に接着剤を塗布することができ、必要以上に厚く塗布された余剰の接着剤は接続時に凹溝４６に流入して軒樋１、１の継ぎ目から外側に漏れ出るのが防止される。
【００１９】
内継手２の外周面に接着剤を塗布したならば、先ず、把手部４４を持って下継手部材４を両軒樋１、１の開口部上方に配し、前面部４２の外面に形成された中央位置を表示する防水シート４５と軒樋１、１の継ぎ合わせ部分が重なるように位置合わせした上で、両軒樋１、１の内部に下継手部材４を差し入れ、把手部４４を下方へ押して両軒樋１、１の前耳部１２ａに係合部４２ａを内側から係合させるとともに、下継手部材４の外周面を両軒樋１、１の端部内周面に押し付け、密着接合させて両周面を接着一体化させる。
【００２０】
次いで、摘み片５５を持って上継手部材５を両軒樋１、１の内部に差し入れ、これを下継手部材４の後面部４３の上部に一体に取り付ける。このとき、必要に応じて上継手部材５の上面部５１及び下面部５２の後面に接着剤を塗布しておき、上面部上端の係合片５１ａを両軒樋１、１の後耳部１３ａ内に差し入れて当接させた状態で、当該当接部を軸として上継手部材５の下面部５２側を下方へ回転させつつ凹部５４を把手部４４に嵌合させたまま後方にスライドさせる。すると、上継手部材５の凹部５４が把手部４４の根元部に設けた窪み４４ａに弾発的に嵌り込んで係止されるとともに、段部５３が下継手部材４の後面部４３の上端に当接する。下継手部材４の上部に一体に取り付けられた上継手部材５は、係合片５１ａが両軒樋１、１の後耳部１３ａに内側下方から係合し、下面部５２が下継手部材４の後面部４３の内面、上面部５１が両軒樋１、１の後面部１３の上半部内面にそれぞれ接合して、下継手部材４と両軒樋１、１の内面に接着一体化する（図５参照）。
【００２１】
両軒樋１、１に内継手３を内嵌合して接着一体化したならば、内周面に接着剤を塗布した外継手６を両軒樋１、１の継ぎ合わせ部分に沿ってその外面に装着し、図５に示されるように、両端の係合部６１、６２を両軒樋１、１の前後耳部１２ａ、１３ａに係合させて外継手６を両軒樋１、１の外周面に嵌合し、接着一体化することができる。
【００２２】
このように本形態の軒樋内継手３は、軒樋１の底面部１１、前面部１２及び後面部１３下半部の各部内面にそれぞれ接合する底面部４１、前面部４２及び後面部４３を有し、前後面部４２、４３間に把手部４４が横架されてなる下継手部材４と、軒樋１の後面部１３上半部に接合する上面部５１を有する上継手部材５とからなるものであり、上下両継手部材４、５を両軒樋１、１の端部間に取り付ける際に、それぞれ把手部４４と摘み片５５を持って軒樋１の内部に差し入れるとともに、両部材の接着剤が塗られた外周面を両軒樋１、１の内周面に押し付けて確実に接着一体化させることにより軒樋の曲がりや捩れ等の変形を防止することができ、また、内継手３の取り付けを簡便な作業で行うことが可能である。
【００２３】
なお、図示した軒樋継手の形態は一例であり、接続する軒樋の形状などに応じて適宜な形態とのものとすることができる。また、外継手を用いて軒樋同士を接続する作業手順も一例であり、施工環境や軒樋の形状などに応じて省略することが可能である。
【図面の簡単な説明】
【００２４】
【図１】本発明の一実施形態の軒樋継手の構成部材とこれを用いて接続する軒樋の展開外観図である。
【図２】内継手を構成する下継手部材の正面、側面及び背面を示した図である。
【図３】内継手を構成する上継手部材の正面及び側面を示した図である。
【図４】上下継手部材を一体化した状態の内継手の外観図である。
【図５】図１の軒樋継手を用いて軒樋を接続した状態の軒樋の断面図である。
【図６】従来の軒樋継手の構成部材とこれを用いて接続する軒樋の展開外観図である。
【符号の説明】
【００２５】
１  軒樋、２  軒樋継手、３  内継手、４  下継手部材、４４  把手部、５  上継手部材、５４  凹部、５５  摘み片、６  外継手
【図１】
2008231754.tif 000003
【図２】
2008231754.tif 000004
【図３】
2008231754.tif 000005
【図４】
2008231754.tif 000006
【図５】
2008231754.tif 000007
【図６】
2008231754.tif 000008